(57)【要約】【課題】空気のう１の製造時間を短くして、空気のう１の製造作業の能率を向上させること。【解決手段】  拘束部材群２１を成型ドラム１１に合体させて、拘束部材群２１と成型ドラム１１の協働によってチューブ３及び補強層９を包囲し、成型ドラム１１における電磁石１９の吸着力によって空気充填用バルブ５を空気導入孔１３に気密的に接続させつつ保持した状態の下で、空気導入孔１３及び空気充填用バルブ５を介してチューブ３の内部に空気供給源１５からの空気を充填することにより、チューブ３を膨張させて、補強層９をチューブ３の外周面に接合すること。【選択図】図３
2008080788.tif 000002
【特許請求の範囲】
【請求項１】
内部に空気を充填可能であってかつ内周面に空気充填用バルブが設けられた環状のチューブと、前記チューブの外周面を補強可能な補強層とから空気のうを製造する方法において、
外周面に空気供給源を連通可能な空気導入孔が形成された成型ドラムを用い、前記チューブを前記成型ドラムの外周面に配置することにより、前記チューブを前記成型ドラムにセットするチューブセット工程と、
前記チューブセット工程の終了後に、前記補強層を前記成型ドラムに対して接近する方向へ相対的に移動させることにより、前記補強層を前記チューブの外側にセットする補強層セット工程と、
前記補強層セット工程の終了後に、複数の拘束部材からなる拘束部材群を前記成型ドラムに合体させて、前記拘束部材群と前記成型ドラムの協働によって前記チューブ及び前記補強層を包囲する包囲工程と、
前記包囲工程の終了後に、前記成型ドラムにおける保持具によって前記空気充填用バルブを前記空気導入孔に気密的に接続させつつ保持した状態の下で、前記空気導入孔及び前記空気充填用バルブを介して前記チューブの内部に前記空気供給源からの空気を充填することにより、前記チューブを膨張させて、前記補強層を前記チューブの外周面に接合する接合工程と、
を具備したことを特徴とする空気のうの製造方法。
【請求項２】
前記拘束部材群と前記成型ドラムの協働による包囲状態を解除して、前記空気充填用バルブを前記保持具から離脱させることにより、前記空気のうを前記成型ドラムから取外す取外し工程と、
を具備したこと特徴とする請求項１に記載の空気のうの製造方法。
【請求項３】
前記空気充填用バルブは、Ｎ／Ｓ極の磁性を帯びるように構成されているか又は磁性体を備え、前記保持具は、電磁石であって、
前記取外し工程は、前記電磁石の極性を変更することにより、前記電磁石の反発力によって前記空気充填用バルブを前記電磁石から離脱させるようになっていることを特徴とする請求項２に記載の空気のうの製造方法。
【請求項４】
前記保持具は、強磁石であって、
前記取外し工程は、前記成型ドラムにおける押出し具によって前記チューブにおける前記空気充填用バルブの近傍部を外側へ押出すことにより、前記空気充填用バルブを前記強磁石から離脱させるようになっていることを特徴とする請求項２に記載の空気のうの製造方法。
【請求項５】
前記押出し具は、アクチュエータと、該アクチュエータの駆動により前記成型ドラムの外周面に対して出没する方向へ移動可能な押出しピンとを備え、
前記取外し工程は、前記アクチュエータの駆動により前記押出しピンを成型ドラムの外周面に対して突出する方向へ移動させて、前記チューブにおける前記空気充填用バルブの近傍部を外側へ押出すことにより、前記空気充填用バルブを前記強磁石から離脱させるようになっていることを特徴とする請求項４に記載の空気のうの製造方法。
【請求項６】
請求項１に記載の空気のうの製造方法の実施に直接用いられる成型ドラムにおいて、
外周面に空気供給源に連通可能な空気導入孔が形成され、前記空気導入孔の周縁部に前記チューブにおける前記空気充填用バルブを前記空気導入孔に気密的に接続させつつ保持する保持具が設けられていることを特徴とする成型ドラム。
【請求項７】
前記保持具は、電磁石であることを特徴とする請求項６に記載の成型ドラム。
【請求項８】
前記保持具は、強磁石であって、前記保持具の近傍部に前記チューブにおける前記空気充填用バルブの近傍部を外側へ押出す押出し具が設けられていることを特徴とする請求項６に記載の成型ドラム。
【請求項９】
前記押出し具は、前記保持具の近傍部に設けられたアクチュエータと、該アクチュエータの駆動により前記成型ドラムの外周面に対して出没する方向へ移動可能であってかつ前記チューブにおける前記空気充填用バルブの近傍部を外側へ押出す押出しピンとを備えていることを特徴とする請求項８に記載の成型ドラム。
【発明の詳細な説明】
【技術分野】
【０００１】
本発明は、環状のチューブと補強層とから空気のうを製造する空気のうの製造方法及びその製造方法の実施に直接用いられる成型ドラムに関する。
【背景技術】
【０００２】
近年、タイヤの内圧が急激に低下した際にタイヤに代わって車両荷重を支持する空気のうについて種々の開発が行われており、空気のうは、内部に空気を充填可能であってかつ内周面に空気充填用バルブが設けられた環状のチューブと、このチューブを補強可能な補強層とから次のように製造される（特許文献１参照）。
【０００３】
即ち、環状のチューブを成型ドラムの外周面に配置することにより、チューブを成型ドラムにセットする。次に、一対の拘束部材（特許文献１のサイドリング）からなる拘束部材群を成型ドラムに合体させることにより、拘束部材群と成型ドラムの協働によってチューブを包囲する。更に、空気充填用バルブを介してチューブの内部に空気供給源からの空気を充填することにより、チューブを膨張させる。そして、一対の拘束部材の離反する方向の移動によってチューブの外周面を露出させて、補強層をチューブの外周面に貼付けることにより、補強層をチューブの外周面に接合する。
【０００４】
以上により、空気のうの製造が終了する。なお、空気のうの製造後に、特許文献１に示すように、空気のうに対して加硫処理を施すことが望ましい。
【特許文献１】特開２００２−１４４４４４号公報
【発明の開示】
【発明が解決しようとする課題】
【０００５】
ところで、特許文献１に示す空気のうの製造方法にあっては、補強層をチューブの外周面に接合するには、前述のように、補強層をチューブの外周面に貼付ける必要がある。また、補強層の貼付け作業は、人手によって行わなければならない。そのため、空気のうの一連の製造時間が長くなって、空気のうの製造作業が繁雑化するという問題がある。特に、空気のうの大型化に伴って、その問題はより顕著になる。
【０００６】
そこで、本発明は、前述の問題を解決するため、補強層をチューブの外周面に貼付けることなく、チューブの内圧によって補強層をチューブの外周面に強固に接合することができる、新規な空気のうの製造方法及びその製造方法に直接用いられる成型ドラムを提供することを目的とする。
【課題を解決するための手段】
【０００７】
本発明の第１の特徴（請求項１に記載の発明の特徴）は、内部に空気を充填可能であってかつ内周面に空気充填用バルブが設けられた環状のチューブと、前記チューブの外周面を補強可能な補強層とから空気のうを製造する方法において、外周面に空気供給源を連通可能な空気導入孔が形成された成型ドラムを用い、前記チューブを前記成型ドラムの外周面に配置することにより、前記チューブを前記成型ドラムにセットするチューブセット工程と、前記チューブセット工程の終了後に、前記補強層を前記成型ドラムに対して接近する方向へ相対的に移動させることにより、前記補強層を前記チューブの外側にセットする補強層セット工程と、前記補強層セット工程の終了後に、複数の拘束部材からなる拘束部材群を前記成型ドラムに合体させて、前記拘束部材群と前記成型ドラムの協働によって前記チューブ及び前記補強層を包囲する包囲工程と、前記包囲工程の終了後に、前記成型ドラムにおける保持具によって前記空気充填用バルブを前記空気導入孔に気密的に接続させつつ保持した状態の下で、前記空気導入孔及び前記空気充填用バルブを介して前記チューブの内部に前記空気供給源からの空気を充填することにより、前記チューブを膨張させて、前記補強層を前記チューブの外周面に接合する接合工程と、を具備したことを要旨とする。
【０００８】
第１の特徴によると、前記拘束部材群と前記成型ドラムの協働によって前記チューブ及び前記補強層を包囲し、前記チューブの内部に空気を充填して前記チューブを膨張させているため、前記補強層を前記チューブの外周面に貼付けることなく、前記チューブの内圧（充填された空気の圧力）によって前記補強層を前記チューブの外周面に強固に接合することができる。
【０００９】
本発明の第２の特徴（請求項２に記載の発明の特徴）は、第１の特徴に加えて、前記拘束部材群と前記成型ドラムの協働による包囲状態を解除して、前記空気充填用バルブを前記保持具から離脱させることにより、前記空気のうを前記成型ドラムから取外す取外し工程と、を具備したこを要旨とする。
【００１０】
本発明の第３の特徴（請求項３に記載の発明の特徴）は、第２の特徴に加えて、前記空気充填用バルブは、Ｎ／Ｓ極の磁性を帯びるように構成されているか又は磁性体を備え、前記保持具は、電磁石であって、前記取外し工程は、前記電磁石の極性を変更することにより、前記電磁石の反発力によって前記空気充填用バルブを前記電磁石から離脱させるようになっていることを要旨とする。
【００１１】
本発明の第４の特徴（請求項４に記載の発明の特徴）は、第２の特徴に加えて、前記保持具は、強磁石（永久磁石）であって、前記取外し工程は、前記成型ドラムにおける押出し具によって前記チューブにおける前記空気充填用バルブの近傍部を外側へ押出すことにより、前記空気充填用バルブを前記強磁石から離脱させるようになっていることを要旨とする。
【００１２】
本発明の第５の特徴（請求項５に記載の発明の特徴）は、第４の特徴に加えて、前記押出し具は、アクチュエータと、該アクチュエータの駆動により前記成型ドラムの外周面に対して出没する方向（突出する方向・没入する方向）へ移動可能な押出しピンとを備え、前記取外し工程は、前記アクチュエータの駆動により前記押出しピンを成型ドラムの外周面に対して突出する方向へ移動させて、前記チューブにおける前記空気充填用バルブの近傍部を外側へ押出すことにより、前記空気充填用バルブを前記強磁石から離脱させるようになっていることを要旨とする。
【００１３】
本発明の第６の特徴（請求項６に記載の発明の特徴）は、第１の特徴からなる空気のうの製造方法の実施に直接用いられる成型ドラムにおいて、外周面に空気供給源に連通可能な空気導入孔が形成され、前記空気導入孔の周縁部に前記チューブにおける前記空気充填用バルブを前記空気導入孔に気密的に接続させつつ保持する保持具が設けられていることを要旨とする。
【００１４】
本発明の第７の特徴（請求項７に記載の発明の特徴）は、第６の特徴に加えて、前記保持具は、電磁石であることを要旨とする。
【００１５】
本発明の第８の特徴（請求項８に記載の発明の特徴）は、第６の特徴に加えて、前記保持具は、強磁石であって、前記保持具の近傍部に前記チューブにおける前記空気充填用バルブの近傍部を外側へ押出す押出し具が設けられていることを要旨とする。
【００１６】
本発明の第９の特徴（請求項９に記載の発明の特徴）は、第８の特徴に加えて、前記押出し具は、前記保持具の近傍部に設けられたアクチュエータと、該アクチュエータの駆動により前記成型ドラムの外周面に対して出没する方向へ移動可能であってかつ前記チューブにおける前記空気充填用バルブの近傍部を外側へ押出す押出しピンとを備えていることを要旨とする。
【発明の効果】
【００１７】
請求項１から請求項９のうちのいずれかの請求項に記載の発明によれば、前記補強層を前記チューブの外周面に貼付けることなく、前記チューブの内圧によって前記補強層を前記チューブの外周面に強固に接合することができるため、空気のうの製造時間を短くして、前記空気のうの製造作業の能率を向上させることができる。
【発明を実施するための最良の形態】
【００１８】
（第１実施形態）
図１から図５を参照して、第１実施形態に係る空気のうの製造方法の製造対象である空気のう、第１実施形態に係る空気のうの製造方法の実施に直接用いられる成型ドラム等、及び第１実施形態に係る空気のうの製造方法を順次説明する。
【００１９】
ここで、 図１から図３は、第１実施形態に係る空気のうの製造方法を説明する模式的な図、図４（ａ）は、電磁石の吸着力によって空気充填用バルブを保持した状態を示す図、図４（ｂ）は、電磁石の反発力によって空気充填用バルブを離脱した状態を示す図、図５は、実施形態に係る空気のうの断面図である。
【００２０】
図５に示すように、実施形態に係る空気のう１は、内部に空気を充填可能な環状のチューブ３を具備しており、このチューブ３は、タイヤのインナーライナーと同じ種類のゴムを主要な構成材料としている。また、チューブ３の内周面には、空気充填用バルブ５がバブルスパット７を介して設けられており、この空気充填用バルブ５は、Ｎ／Ｓ極の磁性を帯びるように構成されている。なお、空気充填用バルブ５がＮ／Ｓ極の磁性を帯びるように構成される代わりに、空気充填用バルブ５は、先端側に、磁石等の磁性体を備えるようにしても構わない。更に、チューブ３の外周面には、チューブ３を補強可能な補強層９が設けられており、この補強層９は、不織布とゴムの複合体又は有機繊維コードとゴムの複合体からなるものである。
【００２１】
図１、図４（ａ）（ｂ）に示すように、第１実施形態に係る成型ドラム１１は、複数の分割ドラムにセグメント化されてあって、ドラム軸心（成型ドラム１１の軸心）１１ｓに対して拡縮移動可能である。また、成型ドラム１１の外周面には、空気導入孔１３が形成されており、この空気導入孔１３は、エアコンプレッサ等の空気供給源１５に連絡ホース１７を介して連通可能である。
【００２２】
空気導入孔１３の周縁部には、空気充填用バルブ５を空気導入孔１３に気密的に接続させつつ保持する保持具としてのリング状の電磁石１９が設けられており、この電磁石１９は、極性を変更可能である。なお、空気充填用バルブ５を空気導入孔１３に気密的に接続させるために、電磁石１９は適宜の密封構造（図示省略）を有している。
【００２３】
図１及び図２に示すように、実施形態に係る拘束部材群２１は、対向したリング状の一対のサイド拘束部材２３，２５と、一対のサイド拘束部材２３．２５の間に配設されたリング状のセンター拘束部材２７とからなっている。ここで、一対のサイド拘束部材２３，２５は、接近・離反する方向へ移動可能であって、それぞれセグメント化されている。また、センター拘束部材２７は、拘束部材軸心２７ｓ（センター拘束部材２７の軸心、換言すれば、ドラム軸心１１ｓ）に対して拡縮移動可能であって、セグメント化されている。
【００２４】
続いて、第１実施形態に係る空気のうの製造方法について説明する。
【００２５】
第１実施形態に係る空気のうの製造方法は、チューブ３と補強層９とから空気のう１を製造する方法であって、(1-1)チューブセット工程と、(1-2)補強層セット工程と、(1-3)包囲工程と、(1-4)接合工程と、(1-5)取外し工程と、(1-6)加硫工程とを具備しており、各工程の具体的な内容は、次のようになる。
【００２６】
(1-1)チューブセット工程
図１に示すように、未加硫又は加硫済みの環状のチューブ３を成型ドラム１１の外周面に配置する。また、図４（ａ）に示すように、電磁石１９を励磁することにより、電磁石１９の吸着力によって空気充填用バルブ５を空気導入孔１３に気密的に接続させつつ強固に保持する。これにより、チューブ３を成型ドラム１１にセットすることができる。ここで、一対のサイド拘束部材２３，２５は、離反した状態にあって、センター拘束部材２７は、拡張した状態（開いた状態）にある。
【００２７】
(1-2)補強層セット工程
(1-1)チューブセット工程の終了後に、適宜の補強層移動装置２９によって未加硫又は加硫済みの補強層９を成型ドラム１１に対して接近する方向へ移動させる。これにより、補強層９をチューブ３の外側にセットすることができる。なお、補強層９を成型ドラム１１に対して接近する方向へ移動させる代わりに、成型ドラム１１を補強層９に対して接近する方向へ移動させても構わない。
【００２８】
(1-3)包囲工程
(1-2)補強層セット工程の終了後に、図２に示すように、一対のサイド拘束部材２３，２５を接近する方向へ移動させかつセンター拘束部材２７を拘束部材軸心２７ｓに対して収縮移動させる。これにより、拘束部材群２１を成型ドラム１１に合体させて、拘束部材群２１と成型ドラム１１の協働によってチューブ３及び補強層９を包囲することができる。
【００２９】
(1-4)接合工程
(1-3)包囲工程の終了後に、図３及び図４（ａ）に示すように、電磁石１９の吸着力によって空気充填用バルブ５を空気導入孔１３に気密的に接続させつつ強固に保持した状態の下で、空気導入孔１３及び空気充填用バルブ５を介してチューブ３の内部に空気供給源１５からの空気を充填する。これにより、チューブ３を膨張させて、補強層９をチューブ３の外周面に接合することができ、換言すれば、チューブ３と補強層９とから空気のう１を製造することができる。
【００３０】
(1-5)取外し工程
(1-4)接合工程の終了後に、センター拘束部材２７を拘束部材軸心２７ｓに対して拡縮移動させ、かつ一対のサイド拘束部材２３，２５を接近する方向へ移動させることにより、拘束部材群２１と成型ドラム１１の協働による包囲状態を解除する。そして、図４（ｂ）に示すように、電磁石１９の極性を変更することにより、電磁石１９の反発力によって電磁石１９から空気充填用バルブ５を離脱させる。これにより、空気のう１を成型ドラム１１から取外すことができる。
【００３１】
(1-6)加硫工程
(1-5)取外し工程の終了後に、空気のう１を加硫金型（図示省略）にセットして、空気のう１に対して加硫処理を施す。これにより、チューブ３と補強層９との接合強度を高めつつ、空気のう１全体の剛性を向上させることができる。
【００３２】
なお、第１実施形態に係る空気のうの製造方法において、(1-6)加硫工程を省略しても構わない。
【００３３】
続いて、第１実施形態の作用及び効果について説明する。
【００３４】
拘束部材群２１と成型ドラム１１の協働によってチューブ３及び補強層９を包囲し、チューブ３の内部に空気を充填してチューブ３を膨張させているため、補強層９をチューブ３の外周面に貼付けることなく、チューブ３の内圧（充填された空気の圧力）によって補強層９をチューブ３の外周面に強固に接合することができる。
【００３５】
また、前述のように、(1-1)チューブセット工程において、電磁石１９を励磁することにより、電磁石１９の吸着力によって空気充填用バルブ５を空気導入孔１３に気密的に接続させつつ強固に保持することができると共に、(1-5)取外し工程において、電磁石１９の極性を変更することにより、電磁石１９の反発力によって空気充填用バルブ７を電磁石１９から離脱させることができる。なお、電磁石１９の電圧及びコイルの巻数等を変更することにより、電磁石１９の吸着力・反発力は適宜に調節可能である。
【００３６】
以上の如き、第１実施形態によれば、補強層９をチューブ３の外周面に貼付けることなく、チューブ３の内圧によって補強層９をチューブ３の外周面に強固に接合することができるため、空気のう１の製造時間を短くして、空気のう１の製造作業の能率を向上させることができる。特に、電磁石１９の吸着力によって空気充填用バルブ５を空気導入孔１３に気密的に接続させつつ強固に保持したり、電磁石１９の反発力によって空気充填用バルブ５を電磁石１９から離脱させたりすることができるため、空気充填用バルブ５の保持・離脱が簡単になって、空気のう１の製造作業の能率をより向上させることができる。
【００３７】
（第２実施形態）
図６から図９を参照して、第２実施形態に係る空気のうの製造方法の実施に直接用いられる成型ドラム、及び第２実施形態に係る空気のうの製造方法を順次説明する。
【００３８】
ここで、 図６から図８は、第２実施形態に係る空気のうの製造方法を説明する模式的な図、図９（ａ）は、強磁石の吸着力によって空気充填用バルブを保持した状態を示す図、図９（ｂ）は、押出し具によってチューブにおける空気充填用バルブの近傍部を外側に押出した状態を示す図である。
【００３９】
図６、図９（ａ）（ｂ）に示すように、第２実施形態に係る成型ドラム３１は、複数の分割ドラムにセグメント化されてあって、ドラム軸心（成型ドラム３１の軸心）３１ｓに対して拡縮移動可能である。また、成型ドラム３１の外周面には、空気導入孔３３が形成されており、この空気導入孔３３は、エアコンプレッサ等の空気供給源３５に連絡ホース３７を介して連通可能である。
【００４０】
空気導入孔３３の周縁部には、空気充填用バルブ５を空気導入孔３３に気密的に接続させつつ保持する保持具としてのリング状の強磁石（永久磁石）３９が設けられている。なお、空気充填用バルブ５を空気導入孔３３に気密的に接続させるために、強磁石３９は適宜の密封構造（図示省略）を有している。
【００４１】
強磁石３９の近傍部には、チューブ３における空気充填用バルブ５の近傍部を外側（ドラム径方向外側）へ押出す押出し具４１が設けられている。具体的には、強磁石３９の近傍部には、複数のエアシリンダ４３（アクチュエータの一例）が設けられている。また、各エアシリンダ４３におけるピストンロッド４３ａの先端部には、チューブ３における空気充填用バルブ５の近傍部を外側へ押出す押出しピン４５がそれぞれ設けられてあって、各押出しピン４５は、エアシリンダ４３の駆動により成型ドラム３１の外周面に対して出没する方向（突出する方向・没入する方向）へ移動可能である。なお、エアシリンダ４３の代わりに、電動モータ又はソレノイド等の別のアクチュエータの駆動により押出しピン４５を成型ドラム３１の外周面に対して出没する方向へ移動させるようにしたり、エアシリンダと押出しピンを備えた押出し具の代わりに、別の押出し具としてのエアノズルからエアの吹き付けによってチューブ３における空気充填用バルブ５の近傍部を外側を押出すようにしたりしても構わない。
【００４２】
続いて、第２実施形態に係る空気のうの製造方法について説明する。
【００４３】
第２実施形態に係る空気のうの製造方法は、チューブ３と補強層９とから空気のう１を製造する方法であって、(2-1)チューブセット工程と、(2-2)補強層セット工程と、(2-3)包囲工程と、(2-4)接合工程と、(2-5)取外し工程と、(2-6)加硫工程とを具備しており、各工程の具体的な内容は、次のようになる。なお、第２実施形態に係る空気のうの製造方法の実施には、成型ドラム３１の他に、第１実施形態に係る拘束部材群２１が用いられる。
【００４４】
(2-1)チューブセット工程
図６に示すように、未加硫又は加硫済みの環状のチューブ３を成型ドラム３１の外周面に配置する。また、図９（ａ）に示すように、強磁石３９の吸着力によって空気充填用バルブ５を空気導入孔１３に気密的に接続させつつ強固に保持する。これにより、チューブ３を成型ドラム３１にセットすることができる。ここで、一対のサイド拘束部材２３，２５は、離反した状態にあって、センター拘束部材２７は、拡張した状態（開いた状態）にある。
【００４５】
なお、第２実施形態にあっては、空気充填用バルブ５は、鉄等の金属により構成されていればよく、Ｎ／Ｓ極の磁性を帯びるように構成されたり又は磁性体を備えたりする必要はない。
【００４６】
(2-2)補強層セット工程
(2-1)チューブセット工程の終了後に、第１実施形態に係る空気のう製造方法における(1-2)補強層セット工程と同様の処理を実行することにより、補強層９をチューブ３の外側にセットすることができる。
【００４７】
(2-3)包囲工程
(2-2)補強層セット工程の終了後に、図７に示すように、第１実施形態に係る空気のう製造方法における(2-2)包囲工程と同様の処理を実行することにより、拘束部材群２１を成型ドラム３１に合体させて、拘束部材群２１と成型ドラム３１の協働によってチューブ３及び補強層９を包囲することができる。
【００４８】
(2-4)接合工程
(2-3)包囲工程の終了後に、図８及び図９（ａ）に示すように、強磁石３９の吸着力によって空気充填用バルブ５を空気導入孔３３に気密的に接続させつつ強固に保持した状態の下で、空気導入孔３３及び空気充填用バルブ５を介してチューブ３の内部に空気供給源３５からの空気を充填する。これにより、チューブ３を膨張させて、補強層９をチューブ３の外周面に接合することができ、換言すれば、チューブ３と補強層９とから空気のう１を製造することができる。
【００４９】
(2-5)取外し工程
(1-4)接合工程の終了後に、センター拘束部材２７を拘束部材軸心２７ｓに対して拡縮移動させ、かつ一対のサイド拘束部材２３，２５を接近する方向へ移動させることにより、拘束部材群２１と成型ドラム１１の協働による包囲状態を解除する。そして、図９（ｂ）に示すように、複数のエアシリンダ４３の駆動により複数の押出しピン４５を成型ドラム３１の外周面に対して突出する方向へ移動させて、チューブ３における空気充填用バルブ５の近傍部を外側へ押出すことにより、空気充填用バルブ５を強磁石３９から離脱させる。これにより、空気のう１を成型ドラム３１から取外すことができる。
【００５０】
(2-6)加硫工程
(2-5)取外し工程の終了後に、第１実施形態に係る空気のう製造方法における(1-6)加硫工程と同様の処理を実行することにより、チューブ３と補強層９との接合強度を高めつつ、空気のう１全体の剛性を向上させることができる。
【００５１】
なお、第２実施形態に係る空気のうの製造方法において、(2-6)加硫工程を省略しても構わない。
【００５２】
続いて、第２実施形態の作用及び効果について説明する。
【００５３】
拘束部材群２１と成型ドラム３１の協働によってチューブ３及び補強層９を包囲し、チューブ３の内部に空気を充填してチューブ３を膨張させているため、補強層９をチューブ３の外周面に貼付けることなく、チューブ３の内圧によって補強層９をチューブ３の外周面に強固に接合することができる。
【００５４】
また、前述のように、(2-1)チューブセット工程において、強磁石３９の吸着力によって空気充填用バルブ５を空気導入孔３３に気密的に接続させつつ強固に保持することができると共に、(2-5)取外し工程において、複数のエアシリンダ４３の駆動により複数の押出しピン４５を成型ドラム３１の外周面に対して突出する方向へ移動させて、複数の押出しピン４５によってチューブ３における空気充填用バルブ５の近傍部を外側へ押出すことにより、空気充填用バルブ７を強磁石３９から離脱させることができる。
【００５５】
以上の如き、第２実施形態によれば、補強層９をチューブ３の外周面に貼付けることなく、チューブ３の内圧によって補強層９をチューブ３の外周面に強固に接合することができるため、空気のう１の製造時間を短くして、空気のう１の製造作業の能率を向上させることができる。特に、強磁石３９の吸着力によって空気充填用バルブ５を空気導入孔３３に気密的に接続させつつ強固に保持したり、複数の押出しピン４５によりチューブ３における空気充填用バルブ５の近傍部を外側へ押出すことによって空気充填用バルブ５を強磁石３９から離脱させたりすることができるため、空気充填用バルブ５の保持・離脱が簡単になって、空気のう１の製造作業の能率をより向上させることができる。
【００５６】
なお、本発明は、前述の実施形態の説明に限られるものではなく、その他、種々の態様で実施可能である。また、本発明に包含される権利範囲は、これらの実施形態に限定されないものである。
【図面の簡単な説明】
【００５７】
【図１】第１実施形態に係る空気のうの製造方法を説明する模式的な図である。
【図２】第１実施形態に係る空気のうの製造方法を説明する模式的な図である。
【図３】第１実施形態に係る空気のうの製造方法を説明する模式的な図である。
【図４】図４（ａ）は、電磁石の吸着力によって空気充填用バルブを保持した状態を示す図、図４（ｂ）は、電磁石の反発力によって空気充填用バルブを離脱した状態を示す図である。
【図５】実施形態に係る空気のうの断面図である。
【図６】第２実施形態に係る空気のうの製造方法を説明する模式的な図である。
【図７】第２実施形態に係る空気のうの製造方法を説明する模式的な図である。
【図８】第２実施形態に係る空気のうの製造方法を説明する模式的な図である。
【図９】図９（ａ）は、強磁石の吸着力によって空気充填用バルブを保持した状態を示す図、図９（ｂ）は、押出し具によってチューブにおける空気充填用バルブの近傍部を外側に押出した状態を示す図である。
【符号の説明】
【００５８】
１          空気のう
３          チューブ
５          空気充填用バルブ
７          バブルスパット
９          補強層
１１          成型ドラム
１３          空気導入孔
１５          空気供給源
１９          電磁石
２１          拘束部材群
２３          サイド拘束部材
２５          サイド拘束部材
２７          センター拘束部材
３１          成型ドラム
３３          空気導入孔
３５          空気供給源
３９          強磁石
４１          押出し具
４３          エアシリンダ
４５          押出しピン
【図１】
2008080788.tif 000003
【図２】
2008080788.tif 000004
【図３】
2008080788.tif 000005
【図４】
2008080788.tif 000006
【図５】
2008080788.tif 000007
【図６】
2008080788.tif 000008
【図７】
2008080788.tif 000009
【図８】
2008080788.tif 000010
【図９】
2008080788.tif 000011